【手続補正書】
【提出日】平成29年1月16日(2017.1.16)
【手続補正１】
【補正対象書類名】明細書
【補正対象項目名】００１１
【補正方法】変更
【補正の内容】
【００１１】
一態様では、本開示は、フレキソ印刷プレートの取り付け用の接着剤テープであって、発泡体を含み、かつ、第２の長手方向側面の反対側の第１の長手方向側面を有する基材と、第１の長手方向側面上に配置される第１の接着剤層と、第２の長手方向側面上に配置される第２の接着剤層と、を備え、第１の接着剤層及び第２の接着剤層のうちの少なくとも１つが、ａ）、ｂ）、及びｃ）を含むモノマーのフリーラジカル重合によって得られるポリマー構成成分を含み、
ａ）は、５０重量％以上の直鎖又は分枝鎖アクリル酸エステルであって、アルキルラジカル中に２つ以上の炭素原子を有し、Ｆｏｘ法によると、及び直鎖又は分枝鎖アクリル酸エステルの変調ＤＳＣによる測定に基づくとホモポリマーガラス転移温度が０℃以下であり、Ｆｅｄｏｒｓ法によるとホモポリマー溶解パラメーターが約９．０（ｃａｌ／ｃｍ３）１／２〜約１１．０（ｃａｌ／ｃｍ３）１／２である、アクリル酸エステルであり、
ｂ）は、２２．５重量％〜４６．５重量％の直鎖、環状、又は分枝鎖アクリル酸エステルであって、アルキルラジカル中に１〜２０個の炭素原子を有し、Ｆｏｘ法によると、及び直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜１１．０（ｃａｌ／ｃｍ３）１／２である、アクリル酸エステルであり、
ｃ）は、３．５重量％超〜約２７．５重量％の高度に極性ビニル置換されたモノマーであって、Ｆｏｘ法によると、及び高度に極性ビニル置換されたモノマーの変調ＤＳＣによる測定に基づくとホモポリマーガラス転移温度が３０℃より高く、Ｆｅｄｏｒｓ法によるとホモポリマー溶解パラメーターが１１．０（ｃａｌ／ｃｍ３）１／２以上である、モノマーであり、
ポリマー構成成分が、Ｆｏｘ法によると、並びに（ａ）、（ｂ）、及び（ｃ）中のモノマーのホモポリマーの変調ＤＳＣによる測定に基づくと−２２℃〜−７℃のガラス転移温度の値を有し、更にＦｅｄｏｒｓ法によるとポリマー構成成分が、９．５８（ｃａｌ／ｃｍ３）１／２〜９．９９（ｃａｌ／ｃｍ３）１／２の溶解パラメーターを有する、接着剤テープを提供する。
【手続補正２】
【補正対象書類名】明細書
【補正対象項目名】００１２
【補正方法】変更
【補正の内容】
【００１２】
いくつかの実施形態では、（ａ）中の直鎖又は分枝鎖アクリル酸エステルは、イソオクチルアクリレート、２−エチルヘキシルアクリレート、ｎ−ブチルアクリレート、エチルアクリレート、及びこれらの組み合わせのうちの少なくとも１つから選択される。いくつかの実施形態では、（ｂ）中の直鎖又は分枝鎖アクリル酸エステルは、少なくとも１つの環状アクリル酸エステルであって、アルキルラジカル中に１〜２０個の炭素原子を有し、Ｆｏｘ法によると、及び直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜約１１．０（ｃａｌ／ｃｍ３）１／２である、環状アクリル酸エステルから選択される。いくつかの実施形態では、（ｂ）中の直鎖又は分枝鎖アクリル酸エステルは、イソボルニルアクリレートである。
【手続補正３】
【補正対象書類名】明細書
【補正対象項目名】００４０
【補正方法】変更
【補正の内容】
【００４０】
本開示の第１の接着剤層及び第２の接着剤層のうちの少なくとも１つは、少なくとも以下の構成成分を含むモノマー混合物から調製することができるポリマー系感圧性接着剤を含む。
ａ）５０重量％（モノマー混合物に基づいて）以上のアクリル酸エステル及び／若しくはメタクリル酸エステル並びに／又は対応する遊離酸であって、以下の式を有するもの。
ＣＨ２＝ＣＲ１Ｃ（＝Ｏ）ＯＲ２、
式中、Ｒ１＝Ｈ又はＣＨ３、及びＲ２は、２つ以上の炭素原子を有するアルキルラジカルであり、ホモポリマーは、Ｆｏｘ法によると、及び直鎖又は分枝鎖アクリル酸エステルホモポリマーの変調示差走査熱量測定法（ＤＳＣ）による測定に基づくと、０℃以下のガラス転移温度を有し、Ｆｅｄｏｒｓ法によるとホモポリマー溶解パラメーターが約９．０（ｃａｌ／ｃｍ３）１／２〜約１１．０（ｃａｌ／ｃｍ３）１／２である。
ｂ）１０重量％〜５０重量％（モノマー混合物に基づいて）のアクリル酸エステル及び／又はメタクリル酸エステルであって、以下の式を有するもの。
ＣＨ２＝ＣＲ３Ｃ（＝Ｏ）ＯＲ４、
式中、Ｒ３＝Ｈ又はＣＨ３、及びＲ４は、直鎖、環状、又は分枝鎖アルキルラジカルであって、少なくとも１個の炭素原子を有し、Ｆｏｘ法によると、及び直鎖、環状、又は分枝鎖アクリル酸エステルの変調ＤＳＣによる測定に基づくと０℃より高いホモポリマーガラス転移温度を有し、Ｆｅｄｏｒｓ法によるとホモポリマー溶解パラメーターが約９．０（ｃａｌ／ｃｍ３）１／２〜約１１．０（ｃａｌ／ｃｍ３）１／２である。
ｃ）３．５重量％超〜約２５重量％（モノマー混合物に基づいて）より多くの、高度に極性ビニル置換されたモノマーであって、Ｆｏｘ法によると、及び高度に極性ビニル置換されたモノマーのホモポリマーの変調ＤＳＣによる測定に基づくとホモポリマーガラス転移温度が３０℃より高く、Ｆｅｄｏｒｓ法によるとホモポリマー溶解パラメーターが約１１（ｃａｌ／ｃｍ３）１／２以上である、モノマー。
【手続補正４】
【補正対象書類名】明細書
【補正対象項目名】００４８
【補正方法】変更
【補正の内容】
【００４８】
いくつかの実施形態では、本開示の第１の接着剤層及び／又は第２の接着剤層は、以下のものを含むモノマーのフリーラジカル重合によって得られるポリマー構成成分を含む。
ａ）５０重量％以上の直鎖又は分枝鎖アクリル酸エステルであって、アルキルラジカル中に２つ以上の炭素原子を有し、Ｆｏｘ法によると、及び直鎖又は分枝鎖アクリル酸エステルの変調ＤＳＣによる測定に基づくとホモポリマーガラス転移温度が０℃以下であり、Ｆｅｄｏｒｓ法によるとホモポリマー溶解パラメーターが約９．０（ｃａｌ／ｃｍ３）１／２〜約１１．０（ｃａｌ／ｃｍ３）１／２である、アクリル酸エステル。
ｂ）１０重量％〜５０重量％の直鎖、環状、又は分枝鎖アクリル酸エステルであって、アルキルラジカル中に１〜２０個の炭素原子を有し、Ｆｏｘ法によると、及び直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜約１１．０（ｃａｌ／ｃｍ３）１／２である、アクリル酸エステル。
ｃ）３．５重量％超〜約２５重量％より多くの高度に極性ビニル置換されたモノマーであって、Ｆｏｘ法によると、及び高度に極性ビニル置換されたモノマーの変調ＤＳＣによる測定に基づくとホモポリマーガラス転移温度が３０℃より高く、Ｆｅｄｏｒｓ法によるとホモポリマー溶解パラメーターが約１１（ｃａｌ／ｃｍ３）１／２以上である、モノマー。これらの実施形態では、結果として得られるポリマー構成成分は、Ｆｏｘ法によると、及び（ａ）、（ｂ）、及び（ｃ）中のモノマーのホモポリマーの変調ＤＳＣによる測定に基づくと−２２℃〜−７℃のガラス転移温度の値を有し、そして更にＦｅｄｏｒｓ法によるとポリマー構成成分が、９．５８（ｃａｌ／ｃｍ３）１／２〜９．９９（ｃａｌ／ｃｍ３）１／２の溶解パラメーターを有する。
【手続補正５】
【補正対象書類名】明細書
【補正対象項目名】０１２２
【補正方法】変更
【補正の内容】
【０１２２】
以下は本開示の様々な実施形態である。
１．フレキソ印刷プレートの取り付け用の接着剤テープであって、発泡体を含み、かつ、第２の長手方向側面の反対側の第１の長手方向側面を有する基材と、第１の長手方向側面上に配置される第１の接着剤層と、第２の長手方向側面上に配置される第２の接着剤層と、を備え、第１の接着剤層及び第２の接着剤層のうちの少なくとも１つが、ａ）、ｂ）、及びｃ）を含むモノマーのフリーラジカル重合によって得られるポリマー構成成分を含み、
ａ）は、５０重量％以上の直鎖又は分枝鎖アクリル酸エステルであって、アルキルラジカル中に２つ以上の炭素原子を有し、Ｆｏｘ法によると、及び直鎖又は分枝鎖アクリル酸エステルの変調ＤＳＣによる測定に基づくとホモポリマーガラス転移温度が０℃以下であり、Ｆｅｄｏｒｓ法によるとホモポリマー溶解パラメーターが約９．０（ｃａｌ／ｃｍ３）１／２〜約１１．０（ｃａｌ／ｃｍ３）１／２である、アクリル酸エステルであり、
ｂ）は、２２．５重量％〜４６．５重量％の直鎖、環状、又は分枝鎖アクリル酸エステルであって、アルキルラジカル中に１〜２０個の炭素原子を有し、Ｆｏｘ法によると、及び直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜１１．０（ｃａｌ／ｃｍ３）１／２である、アクリル酸エステルであり、
ｃ）は、３．５重量％超〜約２７．５重量％の高度に極性ビニル置換されたモノマーであって、Ｆｏｘ法によると、及び高度に極性ビニル置換されたモノマーの変調ＤＳＣによる測定に基づくとホモポリマーガラス転移温度が３０℃より高く、Ｆｅｄｏｒｓ法によるとホモポリマー溶解パラメーターが１１．０（ｃａｌ／ｃｍ３）１／２以上である、モノマーであり、
ポリマー構成成分が、Ｆｏｘ法によると、並びに（ａ）、（ｂ）、及び（ｃ）中のモノマーのホモポリマーの変調ＤＳＣによる測定に基づくと−２２℃〜−７℃のガラス転移温度の値を有し、更にＦｅｄｏｒｓ法によるとポリマー構成成分が、９．５８（ｃａｌ／ｃｍ３）１／２〜９．９９（ｃａｌ／ｃｍ３）１／２の溶解パラメーターを有する、接着剤テープ。
２．（ａ）中の直鎖又は分枝鎖アクリル酸エステルが、イソオクチルアクリレート、２−エチルヘキシルアクリレート、ｎ−ブチルアクリレート、エチルアクリレート、及びこれらの組み合わせのうちの少なくとも１つから選択される、実施形態１に記載の接着剤テープ。
３．（ｂ）中の直鎖又は分枝鎖アクリル酸エステルが、少なくとも１つの環状アクリル酸エステルであって、アルキルラジカル中に１〜２０個の炭素原子を有し、Ｆｏｘ法によると、及び直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜約１１．０（ｃａｌ／ｃｍ３）１／２である、環状アクリル酸エステルから選択される、実施形態１又は２に記載の接着剤テープ。
４．（ｂ）中の直鎖又は分枝鎖アクリル酸エステルが、イソボルニルアクリレートである、実施形態１〜３のいずれか１つに記載の接着剤テープ。
５．（ｃ）中の高度に極性ビニル置換されたモノマーが、アクリル酸である、実施形態１〜４のいずれか１つに記載の接着剤テープ。
６．（ａ）中の直鎖又は分枝鎖アクリル酸エステルが、イソオクチルアクリレート、２−エチルヘキシルアクリレート、ｎ−ブチルアクリレート、エチルアクリレート、及びこれらの組み合わせのうちの少なくとも１つから選択され、（ｂ）中の直鎖又は分枝鎖アクリル酸エステルが、イソボルニルアクリレートであり、（ｃ）中の高度に極性ビニル置換されたモノマーが、アクリル酸である、実施形態１に記載の接着剤テープ。
７．基材が、発泡体層を含む、実施形態１〜６のいずれか１つに記載の接着剤テープ。
８．発泡体層が、０．３２ｇ／ｃｍ３（２０ポンド／フィート３）以下の密度を有する、実施形態７に記載の接着剤テープ。
９．ポリマー構成成分を有する接着剤層のうちの少なくとも１つが、新しいプレートからの０．０５５ニュートン／ｃｍ以上の剥離力を有する、実施形態１〜８のいずれか１つに記載の接着剤テープ。
１０．ポリマー構成成分を有する接着剤層のうちの少なくとも１つが、残留物をコーティングしたプレートからの５．４７ニュートン／ｃｍ以下の剥離力を有する、実施形態１〜９のいずれか１つに記載の接着剤テープ。
１１．ポリマー構成成分を有する接着剤層のうちの少なくとも１つが、３．０ｍｍ／４８時間以下の持ち上げ抵抗を有する、実施形態１〜１０のいずれか１つに記載の接着剤テープ。
１２．ポリマー構成成分を有する接着剤層のうちの少なくとも１つが、０．２〜８．０ニュートン／ｃｍのプレートタッチダウン抵抗を有する、実施形態１〜１１のいずれか１つに記載の接着剤テープ。
１３．基材の長手方向側面のうちの少なくとも１つと、その上に配置されるポリマー構成成分を有する接着剤層との間に配置されるプライマーを更に備える、実施形態１〜１２のいずれか１つに記載の接着剤テープ。
１４．プライマーが、架橋された脂肪族ウレタンである、実施形態１３に記載の接着剤テープ。
１５．ポリマー構成成分が、架橋剤を更に含む、実施形態１〜１４のいずれか１つに記載の接着剤テープ。
１６．ポリマー構成成分が、添加物を更に含む、実施形態１〜１５のいずれか１つに記載の接着剤テープ。
１７．
（ａ）印刷プレートであって、（ｉ）ポリエステルの裏当て表面と、（ｉｉ）ポリエステルの裏当て表面の少なくとも一部の上にポリアミド、ニトロセルロース、又はポリウレタンインク結合剤残留物層と、を備える、印刷プレートと、
（ｂ）実施形態１〜１６のいずれか１つに記載の接着剤テープと、
（ｃ）ツール基部と、を備える、ツールであって、
接着剤テープの第１の接着剤層が、インク結合剤残留物層と接触し、かつ更に接着剤テープの第２の接着剤層が、ツール基部と接触する、ツール。
１８．印刷プレートを取り付けるための方法であって、
（ａ）実施形態１〜１６のいずれか１つに記載の接着剤テープを提供することと、
（ｂ）接着剤テープの第２の接着剤層をツール基部に適用することと、
（ｃ）清浄な印刷プレートを第１の接着剤層上に取り付けることと、
（ｄ）取り付けたツール基部を印刷機上に定置することと、
（ｅ）印刷機上の複数の画像を、ポリアミド、ニトロセルロース、又はポリウレタンインク結合剤（複数可）を含む印刷インクで印刷することと、
（ｆ）接着剤テープ層のいかなる損傷も、又は接着剤テープ層の印刷プレート若しくは印刷プレート表面に対するいかなる転移もなしに、印刷プレートを取り外すことと、
（ｇ）印刷プレートから残留インクを洗浄することと、
（ｈ）（ａ）から（ｇ）の工程を、少なくとももう１回繰り返すことであって、工程（ｃ）で使用される印刷プレートが以前に使用されたプレートである、繰り返すことと、を含む、方法。
【手続補正６】
【補正対象書類名】特許請求の範囲
【補正対象項目名】全文
【補正方法】変更
【補正の内容】
【特許請求の範囲】
【請求項１】
フレキソ印刷プレートの取り付け用の接着剤テープであって、発泡体を含み、かつ、第２の長手方向側面の反対側の第１の長手方向側面を有する基材と、前記第１の長手方向側面上に配置される第１の接着剤層と、前記第２の長手方向側面上に配置される第２の接着剤層と、を備え、前記第１の接着剤層及び前記第２の接着剤層のうちの少なくとも１つが、ａ）、ｂ）、及びｃ）を含むモノマーのフリーラジカル重合によって得られるポリマー構成成分を含み、
ａ）は、５０重量％以上の直鎖又は分枝鎖アクリル酸エステルであって、アルキルラジカル中に２つ以上の炭素原子を有し、Ｆｏｘ法によると、及び前記直鎖又は分枝鎖アクリル酸エステルの変調ＤＳＣによる測定に基づくとホモポリマーガラス転移温度が０℃以下であり、Ｆｅｄｏｒｓ法によるとホモポリマー溶解パラメーターが約９．０（ｃａｌ／ｃｍ３）１／２〜約１１．０（ｃａｌ／ｃｍ３）１／２である、アクリル酸エステルであり、
ｂ）は、２２．５重量％〜４６．５重量％の直鎖、環状、又は分枝鎖アクリル酸エステルであって、アルキルラジカル中に１〜２０個の炭素原子を有し、Ｆｏｘ法によると、及び前記直鎖、環状、又は分枝鎖アクリル酸エステルの変調ＤＳＣによる測定に基づくとホモポリマーガラス転移温度が０℃より高く、Ｆｅｄｏｒｓ法によるとホモポリマー溶解パラメーターが約９．０（ｃａｌ／ｃｍ３）１／２〜１１．０（ｃａｌ／ｃｍ３）１／２である、アクリル酸エステルであり、
ｃ）は、３．５重量％超〜約２７．５重量％の高度に極性ビニル置換されたモノマーであって、Ｆｏｘ法によると、及び前記高度に極性ビニル置換されたモノマーの変調ＤＳＣによる測定に基づくとホモポリマーガラス転移温度が３０℃より高く、Ｆｅｄｏｒｓ法によるとホモポリマー溶解パラメーターが１１．０（ｃａｌ／ｃｍ３）１／２以上である、モノマーであり、
前記ポリマー構成成分が、Ｆｏｘ法によると、並びに（ａ）、（ｂ）、及び（ｃ）中のモノマーのホモポリマーの変調ＤＳＣによる測定に基づくと−２２℃〜−７℃のガラス転移温度の値を有し、更にＦｅｄｏｒｓ法によると前記ポリマー構成成分が、９．５８（ｃａｌ／ｃｍ３）１／２〜９．９９（ｃａｌ／ｃｍ３）１／２の溶解パラメーターを有する、接着剤テープ。
【請求項２】
（ａ）中の前記直鎖又は分枝鎖アクリル酸エステルが、イソオクチルアクリレート、２−エチルヘキシルアクリレート、ｎ−ブチルアクリレート、エチルアクリレート、及びこれらの組み合わせのうちの少なくとも１つから選択される、請求項１に記載の接着剤テープ。
【請求項３】
（ｂ）中の前記直鎖又は分枝鎖アクリル酸エステルが、イソボルニルアクリレートである、請求項１又は２のいずれかに記載の接着剤テープ。
【請求項４】
（ｃ）中の前記高度に極性ビニル置換されたモノマーが、アクリル酸である、請求項１〜３のいずれか一項に記載の接着剤テープ。
【請求項５】
（ａ）中の前記直鎖又は分枝鎖アクリル酸エステルが、イソオクチルアクリレート、２−エチルヘキシルアクリレート、ｎ−ブチルアクリレート、エチルアクリレート、及びこれらの組み合わせのうちの少なくとも１つから選択され、（ｂ）中の前記直鎖又は分枝鎖アクリル酸エステルが、イソボルニルアクリレートであり、（ｃ）中の前記高度に極性ビニル置換されたモノマーが、アクリル酸である、請求項１に記載の接着剤テープ。
【請求項６】
（ａ）印刷プレートであって、（ｉ）ポリエステルの裏当て表面と、（ｉｉ）前記ポリエステルの裏当て表面の少なくとも一部の上にポリアミド、ニトロセルロース、又はポリウレタンインク結合剤残留物層と、を備える、印刷プレートと、
（ｂ）請求項１〜５のいずれか一項に記載の接着剤テープと、
（ｃ）ツール基部と、を備える、ツールであって、
前記接着剤テープの前記第１の接着剤層が、前記インク結合剤残留物層と接触し、かつ更に前記接着剤テープの前記第２の接着剤層が、前記ツール基部と接触する、ツール。
【請求項７】
印刷プレートを取り付けるための方法であって、
（ａ）請求項１〜５のいずれか一項に記載の接着剤テープを提供することと、
（ｂ）前記接着剤テープの前記第２の接着剤層をツール基部に適用することと、
（ｃ）清浄な印刷プレートを前記第１の接着剤層上に取り付けることと、
（ｄ）前記取り付けたツール基部を印刷機上に定置することと、
（ｅ）前記印刷機上の複数の画像を、ポリアミド、ニトロセルロース、若しくはポリウレタンインク結合剤又はこれら複数を含む印刷インクで印刷することと、
（ｆ）前記接着剤テープ層のいかなる損傷も、又は前記接着剤テープ層の前記印刷プレート若しくは印刷プレート表面に対するいかなる転移もなしに、前記印刷プレートを取り外すことと、
（ｇ）前記印刷プレートから残留インクを洗浄することと、
（ｈ）（ａ）から（ｇ）の工程を、少なくとももう１回繰り返すことであって、工程（ｃ）で使用される前記印刷プレートが以前に使用されたプレートである、繰り返すことと、を含む、方法。